(57)【要約】本発明の課題は、接続構造を必要とせずに、導電性シールド層を外部へ導通させることができる電磁波シールド方法及び電磁波シールド窓、、電磁波シールド窓を備えた製造装置、輸送機器、並びに建築構造物を提供し、製造工数、製造コストの削減、及び長期にわたる安定した電磁波シールド効果の確保を図ることである。本発明は、絶縁性を有し且つ可視光に対して透過性を有する窓面材（３５ａ）、（３５ｂ）の表面に、可視光に対して透過性を有する導電性シールド層（３３）を設け、この導電性シールド層（３３）が設けられた窓面材（３５ａ）、（３５ｂ）を周縁部に絶縁層を介して導電性の窓枠材に密着させて固定することで、導電性シールド層（３３）と窓枠材（３９）との間に静電容量性結合を生じさせる。これにより、導電性シールド層（３３）を直接電気的接続しなくとも電磁波シールド効果が得られる。
2003032702.tif 000002
【特許請求の範囲】
【請求項１】
絶縁性を有し且つ可視光に対して透過性を有する窓面材の表面に、可視光に対して透過性を有する導電性シールド層を設け、該導電性シールド層が設けられた窓面材を周縁部に絶縁層を介して導電性の窓枠材に密着させて固定することで、前記導電性シールド層と窓枠材との間に静電容量性結合を生じさせることを特徴とする電磁波シールド方法。
【請求項２】
絶縁性を有し且つ可視光に対して透過性を有する窓面材の表面に可視光に対して透過性を有する導電性シールド層を設け、該導電性シールド層の設けられた窓面材の周縁部に導電性接着テープを所定面積を有して相対向させて貼着する一方、該導電性シールド層を有し導電性接着テープが貼着された窓面材を絶縁層を介して導電性の窓枠材に密着させて固定し、前記導電性シールド層と前記導電性接着テープとの間、及び前記導電性シールド層と前記窓枠材との間に静電容量性結合を生じさせることを特徴とする電磁波シールド方法。
【請求項３】
前記導電性シールド層と前記窓枠が相互に接することで相互に導通していることを特徴とする請求の範囲第１項又は第２項記載の電磁波シールド方法。
【請求項４】
絶縁性を有し且つ可視光に対して透過性を有する窓面材と、
該窓面材の表面に貼着され、可視光に対して透過性を有する導電性シールド層と、
該導電性シールド層の設けられた窓面材を、該窓面材の周縁部に絶縁層を介して密着させて固定する導電性の窓枠材とを備えたことを特徴とする電磁波シールド窓。
【請求項５】
前記絶縁層は、前記窓面材と前記窓枠材表面に形成される絶縁性表層との少なくともいずれかを含むことを特徴とする請求の範囲第４項記載の電磁波シールド窓。
【請求項６】
前記絶縁層の中に、前記導電性シールド層の設けられた前記窓面材の周縁部で、該周縁部に所定面積を有して相対向して貼着された導電性接着テープを介装したことを特徴とする請求の範囲第４項又は第５項記載の電磁波シールド窓。
【請求項７】
前記導電性接着テープが、断面Ｕ字形に貼着されていることを特徴とする請求の範囲第６項記載の電磁波シールド窓。
【請求項８】
前記導電性シールド層は、一対の前記窓面材の間に狭持されていることを特徴とする請求の範囲第４項〜第７項のいずれか１項記載の電磁波シールド窓。
【請求項９】
前記導電性シールド層は、前記窓面材の片側の表面だけに設けられていることを特徴とする請求の範囲第４項〜第７項のいずれか１項記載の電磁波シールド窓。
【請求項１０】
前記窓面材の前記導電性シールド層が設けられた側の外側面に、該導電性シールド層の保護シートを貼着したことを特徴とする請求の範囲第９項記載の電磁波シールド窓。
【請求項１１】
前記導電性シールド層が、導電性繊維又は導電性材料が表面に被覆された繊維からなる網状のシート材であることを特徴とする請求の範囲第４項〜第１０項のいずれか１項記載の電磁波シールド窓。
【請求項１２】
前記導電性シールド層が、導電薄膜層を有するフィルム状のシート材であることを特徴とする請求の範囲第４項〜第１０項のいずれか１項記載の電磁波シールド窓。
【請求項１３】
前記導電性シールド層と前記窓枠が接することで双方が導通していることを特徴とする請求の範囲第４項〜第１２項のいずれか１項記載の電磁波シールド窓。
【請求項１４】
製造装置であって、製造装置の内部を視認可能な電磁波シールドされた覗き窓を有し、該覗き窓の少なくとも一部が、請求の範囲第４項〜第１３項のいずれか１項記載の電磁波シールド窓であることを特徴とする電磁波シールド窓を備えた製造装置。
【請求項１５】
輸送機器であって、輸送機器の外部を視認可能な電磁波シールドされた覗き窓を有し、該覗き窓の少なくとも一部が、請求の範囲第４項〜第１３項のいずれか１項記載の電磁波シールド窓であることを特徴とする電磁波シールド窓を備えた輸送機器。
【請求項１６】
建築構造物であって、建築構造物の外部を視認可能な電磁波シールドされた覗き窓を有し、該覗き窓の少なくとも一部が、請求の範囲第４項〜第１３項のいずれか１項記載の電磁波シールド窓であることを特徴とする電磁波シールド窓を備えた建築構造物。
【発明の詳細な説明】
＜技術分野＞
本発明は、可視光を透過させる一方、電磁波の透過を所定のレベル以下にまで低減する電磁波シールド方法及び電磁波シールド窓、電磁波シールド窓を備えた製造装置、電磁波シールド窓を備えた輸送機器、並びに電磁波シールド窓を備えた建築構造物に関する。
＜背景技術＞
近年、電気的エネルギー利用の増加に伴い、不要電磁エネルギーの放出が増大し、これらの環境に与える悪影響が懸念されている。このような電磁波環境問題としては、無線通信にあっては、チャンネル間の相互干渉、放送波のゴーストが挙げられ、製造装置にあっては、ロボットシステムの安全性が挙げられ、情報処理にあっては、通信ネットワークの信頼性等が挙げられる。輸送機器にあっては、近年益々その運転制御に電子制御が組み込まれるにあたっての誤動作への不安が重要な問題となり、建築構造物にあっては、近年のインテリジェントビルと呼ばれるようなコンピューター網を構造物内に張り巡らせるに当たり、建築構造物自体が巨大なアンテナ化することにより、周辺の住民に対する電磁エネルギーの垂れ流しのような生物生態系への電磁波エネルギーの影響も重要な問題となっている。
このような事情から、電磁波シールド性を有し、且つ光透過性を有する窓材の開発がなされている。この種の窓材として、例えば特開平１１−８４０４１号公報に開示される電磁波シールド窓は、図１８に示すように、二枚の透明基板１ａ、１ｂ間に導電性メッシュ３を挟み込んで一体化し、透明基板１ａ、１ｂからはみ出した導電性メッシュ３の縁部を透明基板１ａの縁部に沿って折り返し、導電性接着テープ５で透明基板に留め付けてなる。
また、特開平１１−９７８７８号公報に開示される電磁波シールド窓は、図１９に示すように、二枚の透明基板７ａ、７ｂ間に透明導電性フィルム９を挟み込んで構成され、透明導電性フィルム９の縁部から透明基板７ｂの端面を経て透明基板７ｂの表面の縁部にまで達するように、導電性粘着テープ１３が貼着されてなる。
さらに、図２０に示す他の電磁波シールド窓は、一対の窓面材であるプラスチック板１５ａ、１５ｂの間に、導電性メッシュ１７を介在させ、この一対のプラスチック板１５ａ、１５ｂの縁部に銀ペースト等の導電塗料１９を塗布した上から、導電テープ２１を貼着し、さらにこの導電テープ２１の外方に、シールガスケット２３を介して金属製の窓枠材２５を嵌着してなる。
これらの電磁波シールド窓は、透明な導電性シールド材３、９、１７が貼着され、この導電性シールド材が窓枠材に導通接続されることにより、透明な開口窓において電磁波を遮蔽することができる。
しかしながら、上述した従来の電磁波シールド窓の構造は、導電性シールド材を外部の窓枠等に接続するため複雑な接続構造となる問題があった。即ち、図１８に示した電磁波シールド性光透過窓材の場合には、組み立て工程において、導電性メッシュの縁部を透明基板の縁部に沿って折り返す煩雑な工程が必要になった。
また、図１９に示した電磁波シールド窓の場合には、透明導電性フィルムの縁部から透明基板の端面を経て透明基板の表面の縁部にまで達する導電性粘着テープを貼着する作業が必要になった。
さらに、図２０に示した電磁波シールド窓の場合には、一対の窓面材の端面に導電塗料を塗布することにより、この導電塗料を一対の窓面材の間に毛管現象を利用して進入させ、導電繊維と導通接続する煩雑な作業が必要になった。
また、いずれの電磁波シールド窓に対しても、電磁波シールド窓の組み付け時において、部分的に空隙を生じると、この空隙から電磁波が漏洩してシールド性が保たれなくなるため、正確且つ慎重な組付けが必要となる。
さらに、一般的な製造装置や輸送機器、あるいは建築構造物に取り付けられる窓枠材には、通常、酸化被膜が形成されたり塗装が施されているため、導電性シールド材との導通を得るためには、窓枠材の表面を一部削り落としたり、タップ加工等を施す必要がある。従って、従来の電磁波シールド窓では、導電性シールド材と、外部アース等とを接続するための煩雑な接続作業が必要であり、作業工数が増大すると共に、製造コストも増大する問題があった。そして、導電性シールド材が接着剤を介して外部アース等に接続される場合には、この接続部が酸化や腐食等の変質によって経年劣化することがあり、長期に亘って安定した電磁波シールド効果が得られないという問題があった
＜発明の開示＞
本発明は上記状況を鑑みてなされたもので、接続構造を必要とせずに、導電性シールド材を外部へ導通させることができる電磁波シールド方法及び電磁波シールド窓、電磁波シールド窓を備えた製造装置、輸送機器、並びに建築構造物を提供し、製造工数、製造コストの削減、及び長期に亘る安定した電磁波シールド効果の確保を図ることを目的とする
上記目的を達成するため、
（１）  本発明に係る電磁波シールド方法は、絶縁性を有し且つ可視光に対して透過性を有する窓面材の表面に、可視光に対して透過性を有する導電性シールド層を設け、該導電性シールド層が設けられた窓面材を周縁部に絶縁層を介して導電性の窓枠材に密着させて固定することで、前記導電性シールド層と窓枠材との間に静電容量性結合を生じさせることを特徴とする。
この電磁波シールド方法では、絶縁性を有する窓面材の表面に導電性シールド層を設け、この窓面材を、表面の導電性シールド層に対して絶縁層を介して窓枠材に密着させ固定することで、導電性シールド層と窓枠材との間に静電容量性結合が得られる。これにより、導電性シールド層と窓枠材とが直接電気的接続されずに、導電性シールド層と窓枠材との間のコンデンサ効果によって、高周波成分に対して導通接続に近い電磁波シールド効果が得られる。
（２）  本発明の電磁波シールド方法は、絶縁性を有し且つ可視光に対して透過性を有する窓面材の表面に可視光に対して透過性を有する導電性シールド層を設け、該導電性シールド層の設けられた窓面材の周縁部に導電性接着テープを所定面積を有して相対向させて貼着する一方、該導電性シールド層を有し導電性接着テープが貼着された窓面材を絶縁層を介して導電性の窓枠材に密着させて固定し、前記導電性シールド層と前記導電性接着テープとの間、及び前記導電性シールド層と前記窓枠材との間に静電容量性結合を生じさせることを特徴とする。
この電磁波シールド方法では、絶縁性を有する窓面材の表面に、導電性シールド層を設け、導電性シールド層の設けられた窓面材の周縁部に導電性接着テープを所定の面積を有して相対向させて貼着することで、導電性シールド層と導電性接着テープとの間で静電容量性結合が得られる。また、導電性シールド層を有し導電性接着テープが貼着された窓面材を、絶縁層を介して導電性の窓枠材に密着させて固定することで、導電性シールド層と窓枠材との間で同様に静電容量性結合が得られる。このため、導電性シールド層と窓枠材との間のコンデンサ効果によって、高周波成分に対して導通接続に近い電磁波シールド効果が得られる。また、導電性接着テープを貼着するといった簡単な組み付け作業により電磁波シールド窓を組立てることができると共に、経年劣化が生じず、安定したシールド効果が長期間に亘って保持可能になる。
（３）  本発明の電磁波シールド方法は、前記導電性シールド層と前記窓枠が相互に接することで相互に導通していることを特徴とする。
この電磁波シールド方法では、導電性シールド層が窓枠材と相互に接することで相互に導通されると共にコンデンサ効果によっても高周波成分に対する導通が得られ、より確実にシールド効果を得ることができる。
（４）  本発明の電磁波シールド窓は、絶縁性を有し且つ可視光に対して透過性を有する窓面材と、該窓面材の表面に貼着され、可視光に対して透過性を有する導電性シールド層と、該導電性シールド層の設けられた窓面材を、該窓面材の周縁部に絶縁層を介して密着させて固定する導電性の窓枠材とを備えたことを特徴とする。
この電磁波シールド窓では、絶縁性を有する窓面材の表面に、導電性シールド層を設けて、この窓面材を、表面の導電性シールド層に対して絶縁層を介して窓枠材に密着させ固定することで、導電性シールド層と窓枠材との間に静電容量性結合が得られる。これにより、導電性シールド層と窓枠材とが直接電気的接続されずに、導電性シールド層と窓枠材との間のコンデンサ効果によって、高周波成分に対して導通接続に近い電磁波シールド効果が得られる。このように、導電性シールド層と窓枠材とは直接電気的接合されていないので、簡単な組み付け作業により電磁波シールド窓を組立てることができると共に、経年劣化が生じず、安定したシールド効果が長期間に亘って保持可能になる。
（５）  本発明の電磁波シールド窓は、前記絶縁層が、前記窓面材と前記窓枠材表面に形成される絶縁性表層との少なくともいずれかを含むことを特徴とする。
この電磁波シールド窓では、導電性シールド材を、窓面材と窓枠材に形成された絶縁性表層との少なくともいずれかを介して窓枠材に固定することにより、導電性シールド材が窓枠材とは非導通状態で固定されると共に、窓面材、絶縁性表層の誘電体効果によりコンデンサ効果を生じさせることができる。
（６）  本発明の電磁波シールド窓は、前記絶縁層の中に、前記導電性シールド層の設けられた前記窓面材の周縁部で、該周縁部に所定面積を有して相対向して貼着された導電性接着テープを介装したことを特徴とする。
この電磁波シールド窓では、導電性シールド層の設けられた窓面材の周縁部で、周縁部に所定面積を有して導電性粘着テープを相対向させて貼着する簡単な貼着作業により、導電性シールド層と導電性接着テープとの間の窓面材の誘電体効果によってコンデンサ効果を生じさせることができる。
（７）  本発明の電磁波シールド窓は、前記導電性接着テープが、断面Ｕ字形に貼着されていることを特徴とする。
この電磁波シールド窓では、断面Ｕ字形に貼着された導電性接着テープの相対向して配置される面が導電性シールド層と共に電極となり、その間でコンデンサ効果が生じることになる。また、窓面材の縁部が導電性接着テープで覆われるため、窓面材の縁部が保護されると共に、窓枠材に対して確実に密着させることが可能となる。
（８）  本発明の電磁波シールド窓は、前記導電性シールド層が、一対の前記窓面材の間に狭持されていることを特徴とする。
この電磁波シールド窓では、導電性シールド層が表裏面から窓面材によって狭持されるため、外部に露出しなくなり保護される。また、導電性シールド層の表裏面それぞれが窓面材を介して導電性接着テープに対向配置されることになり、それぞれの導電性シールド層と導電性接着テープとの間にコンデンサ効果が生じることになる。
（９）  本発明の電磁波シールド窓は、前記導電性シールド層が、前記窓面材の片側の表面だけに貼着されていることを特徴とする。
この電磁波シールド窓では、一枚の窓面材だけを用いた簡素な構造で、電磁波シールド窓が構成可能になる。
（１０）  本発明の電磁波シールド窓は、前記窓面材の前記導電性シールド層が設けられた側の外側面に、該導電性シールド材の保護シートを貼着したことを特徴とする。
この電磁波シールド窓では、導電性シールド材の外側に保護シートが設けられるため、導電性シールド層の保護と、絶縁構造としての導電性シールド層と導電性接着テープとの相対向する配置が同時に達成できる。
（１１）  本発明の電磁波シールド窓は、前記導電性シールド層が、導電性繊維又は導電性材料が表面に被覆された繊維からなる網状のシート材であることを特徴とする。
この電磁波シールド窓では、網状のシート材を構成する一本一本の繊維が導通性を有して構成されるため、繊維間の隙間により可視光に対して透過性を有しながら良好な導電性が得られることになる。
（１２）  本発明の電磁波シールド窓は、前記導電性シールド層が、導電薄膜層を有するフィルム状のシート材であることを特徴とする。
この電磁波シールド窓では、フィルム状のシート材の表面に導電薄膜がスパッタリング等により形成され、可視光に対して透過性を有しながら導電性が得られる。また、フィルム状であることから、単一面での形成が可能になり、開口を有する網構造に比べて電磁波の漏洩を少なくできる。
（１３）  本発明の電磁波シールド窓は、前記導電性シールド層と前記窓枠が接することで双方が導通していることを特徴とする。
この電磁波シールド窓では、導電性シールド層が窓枠材と接することで双方が導通されると共にコンデンサ効果によっても高周波成分に対する導通が得られ、より確実にシールド効果を得ることができる。
（１４）  本発明の電磁波シールド窓を備えた製造装置は、製造装置であって、製造装置の内部を視認可能な電磁波シールドされた覗き窓を有し、該覗き窓の少なくとも一部が、前項（４）〜（１３）のいずれか１項記載の電磁波シールド窓であることを特徴とする。
この電磁波シールド窓を備えた製造装置では、覗き窓の少なくとも一部が前項（４）〜（１３）のいずれか１項記載の電磁波シールド窓であるので、導電性シールド層と窓枠材とを非導通構造にでき、シールド窓の組立て工程が大幅に簡略化され、装置全体のコストを低減できる。しかも、装置に十分なシールド効果が得られると共に、シールド窓を簡素にできるため美観の向上を図ることができる。また、導電性シールド層と窓枠材が接することで双方が導通する場合には、より確実なシールド効果を得ることができる。
（１５）  本発明の電磁波シールド窓を備えた輸送機器は、輸送機器であって、輸送機器の外部を視認可能な電磁波シールドされた覗き窓を有し、該覗き窓の少なくとも一部が、前項（４）〜（１３）のいずれか１項記載の電磁波シールド窓であることを特徴とする。
この電磁波シールド窓を備えた輸送機器では、覗き窓の少なくとも一部が前項（４）〜（１３）のいずれか１項記載の電磁波シールド窓であるので、導電性シールド層と窓枠材とを非導通構造にでき、シールド窓の組立て工程が大幅に簡略化され、装置全体のコストを低減できる。しかも装置に十分なシールド効果が得られると共に、シールド窓を簡素にできるため美観の向上を図ることができる。また、導電性シールド層と窓枠材が接することで双方が導通する場合には、より確実なシールド効果を得ることができる。
（１６）  本発明の電磁波シールド窓を備えた建物構造物は、例えばビルディングや戸建て住宅等の建築構造物であって、建築構造物の内部から外部を視認可能な電磁波シールドされた覗き窓を有し、該覗き窓の少なくとも一部が、前項（４）〜（１３）のいずれか１項記載の電磁波シールド窓であることを特徴とする。
この電磁波シールド窓を備えた建物構造物では、覗き窓の少なくとも一部が前項（４）〜（１３）のいずれか１項記載の電磁波シールド窓であるので、導電性シールド層と窓枠材とを非導通構造にでき、シールド窓の組立て工程が大幅に簡略化され、建築コストを低減できる。しかも建築構造物に十分なシールド効果が得られると共に、シールド窓を簡素にできるため美観の向上を図ることができる。また、導電性シールド層と窓枠材が接することで双方が導通する場合には、より確実なシールド効果を得ることができる。
＜発明を実施するための最良の形態＞
以下、本発明に係る電磁波シールド方法及び電磁波シールド窓、電磁波シールド窓を備えた製造装置、電磁波シールド窓を備えた輸送機器、並びに電磁波シールド窓を備えた建築構造物の好適な実施の形態を図面を参照して詳細に説明する。
本発明は、直接電気的接続を必要としていた電磁波シールド窓の導電性シールド層を積極的に非接触状態で静電容量性結合させて構成し、コンデンサ効果によってシールド効果を得ることを特徴としている。
図１は本発明に係る電磁波シールド窓の第１実施形態を示す要部拡大断面図、図２は導電性シールド層にメッシュ材が用いられた場合のシールド特性を示すグラフ、図３は導電性シールド層にフィルム材が用いられた場合のシールド特性を示すグラフである。
本実施形態の電磁波シールド窓３１は、可視光に対して透過性を有するシート状の導電性シールド材（導電性シールド層）３３と、この導電性シールド材３３を表裏面から挟み、絶縁性を有し且つ可視光に対して透過性を有する一対の窓面材３５ａ、３５ｂと、この一対の窓面材３５ａ、３５ｂの周縁を全周に亘って所定の対向幅を有して包囲しつつ断面Ｕ字状に貼着される導電性接着テープ３７と、この導電性接着テープ３７の外方に密着して一対の窓面材３５ａ、３５ｂの周縁を保持する断面コ字状に形成された導電性の窓枠材３９とからなる。ここで、窓枠材３９は不図示のアース回路等に接続された金属製の枠材であって、表面は酸化膜や塗装膜が形成されて絶縁されている。なお、導電性接着テープ３７の接着面には絶縁性接着剤３６が塗布されおり、導電性シールド材３３と導電性接着テープ３７とは非導通状態にされる。
この電磁波シールド窓３１は、導電性シールド材３３に対して所定面積の導電性接着テープ３７が窓面材３５ａ、３５ｂを介して平行に対向配置され、導電性シールド材３３と導電性接着テープ３７との間が絶縁層としての絶縁性接着剤３６を介して結合されている。すると、導電性シールド材３３と導電性接着テープ３７との間には、所定の静電容量を有したコンデンサが形成され、静電容量性結合が形成される。従って、導電性シールド材３３は、例えば１ＭＨｚ〜３００ＭＨｚ程度の高周波成分に対しては、コンデンサ効果によって導電性接着テープ３７との導通が得られ、導電性シールド材３３と導電性接着テープ３７とが疑似的に電気的接続された状態となる。また、導電性接着テープ３７と窓枠材３９との間には、窓枠材３９表面の酸化膜や塗装膜が介在し、これらの膜が誘電体として機能することで、上記同様に静電容量性結合を形成している。
このため、電磁波シールド窓３１は、高周波成分に対しては導電性シールド材３３とアース回路とが接続された接地回路が構成されることになる。
ここで、窓面材３５ａ、３５ｂとしては、樹脂材、ガラス材等を好適に用いることができる。この樹脂材としては、ポリエチレンテレフタレート、ポリカーボネート、ポリメチルメタアクリレート、アクリル板、塩化ビニル等を好適に用いることができる。
導電性シールド材３３には、網状のシート材、或いはフィルム状のシート材を好適に用いることができる。網状のシート材は、例えばプラスチック繊維に金属をコーティングすることにより構成される。この場合のプラスチック繊維としては、ポリプロピレン、ポリエステル等を用いることができる。なお、このプラスチック繊維をコーティングする金属としては、例えばアルミ、銀、ニッケル−すず合金、亜鉛、タングステンが挙げられる。また、プラスチック繊維の代わりに金属繊維を用いたものであってもよい。
一方、フィルム状のシート材は、超極薄膜の導電性材料がスパッタリンダ等により被着されて構成される。この導電性材料としては、例えばアルミ、鉄、銅、タングステン、亜鉛、ニッケル、すず、イリジウム、インジウム、クロム、金、バナジウム、カドミウム、銀、プラチナ、チタン、コバルト、鉛等の金属又は合金等を用いることができる。
導電性接着テープ３７としては、接着時に気泡等を生じずに密着性の高いものが好ましく、繊維質状であってクッション性を有するものを好適に用いることができる。また、導電性接着テープ３７は、窓面材３５ａ、３５ｂに貼着した際に窓面材３５ａ、３５ｂの周縁から１０ｍｍ〜２５ｍｍ程度の略一定の幅を有して平行に相対向して配置されることが好ましい。
電磁波シールド窓３１の厚みは、要求される強度や軽量性により適宜設定されるが、例えばそれぞれの窓面材３５ａ、３５ｂの厚みが１．５ｍｍ、その間に介在される導電性シールド材３３の厚みが０．２ｍｍの、合計３．２ｍｍ厚の窓面材３５ａ、３５ｂとして構成することができる。
上記のような構成となる電磁波シールド窓３１を実際に製作し、そのシールド効果を測定したところ、図２、図３に示す結果を得ることができた。ここで、図２は、導電性シールド材３３として網状のシート材を用いた電磁波シールド窓３１に対する測定値を示し、図３は導電性シールド材３３としてフィルム状のシート材を用いた電磁波シールド窓３１に対する測定値を示している。
上記のシールド効果は、電磁波が遮蔽壁により遮断される隣接した二つの実験空間で、遮蔽壁に設けられた開口部に被実験対象となる電磁波シールド窓３１を取り付け、一方の実験空間に電磁波発信装置を設置し、他方の実験空間に電磁波受信装置を設置し、電磁波発信装置から放出される電磁波を電磁波受信装置によって読み取ることで測定した。
その結果、１ＭＨｚ〜７００ＭＨｚ周波数帯域、特には１ＭＨｚ〜３００ＭＨｚ周波数帯において、網状のシート材を使用した電磁波シールド窓３１では、３０ｄＢ以上、特には３４ｄＢ近傍のシールド効果の得られることが確認でき、フィルム状のシート材を使用した電磁波シールド窓３１では、３７ｄＢ近傍のシールド効果の得られることが確認できた。即ち、本発明の電磁波シールド窓によれば、一般的にシールド効果を有すると認められる１０〜３０ｄＢ以上のシールド効果が確実に得られる。
このように、本発明の電磁波シールド窓３１によれば、導電性シールド材（導電性シールド層）３３と窓枠材３９とが非導通状態でありながら、高周波成分に対しては、コンデンサ効果によって導通接続に近いシールド効果が得られる。また、導電性接着テープ３７を断面Ｕ字形に貼着することにより、窓枠材３９に対しての密着性が向上して、より安定したコンデンサ効果を得ることができる。さらに、窓面材３５ａ，３５ｂとの間に導電性シールド材３３を狭持させる構造としたため、導電性シールド材３３の表裏両側でコンデンサ効果が得られ、効率よく静電容量結合を得ることができる。
このように、直接電気的接続を行う接合部がないために経年劣化が生じず、安定したシールド効果が長期間に亘って保持可能になる。また、製造による製品個体差のない安定したシールド性を得ることができる。
また、この電磁波シールド窓３１は、非導通構造で導電性シールド材３３と導電性接着テープ３７とを組み付けるため、従来構造のように、導電性接着剤等を塗布する等の導電性シールド材３３と導電性接着テープ３７とを導通させる煩雑な導通接続作業を省略できる。
そして、電磁波シールド窓３１は、導電性シールド材３３が挟み込まれた窓面材３５ａ、３５ｂ周縁に導電性接着テープが貼着された組立体を、単に窓枠材３９に取り付けるだけの作業により組み上げることができ、導通を得るためにタップ加工する等の煩雑な導通接続作業を省略できる。このため、製造工程を大幅に簡略化することができる。
また、導電性繊維からなる網状のシート材を導電性シールド材３３として用いた電磁波シールド窓３１によれば、網状のシート材を構成する一本一本の繊維が導電性を有しているため、可視光に対して透過性を有しながら、金属と略同等の導電性が得られる。
一方、フィルム状のシート材を導電性シールド材３３として用いた電磁波シールド窓３１によれば、フィルム状であることから、単一面での形成が可能になり、開口を有する網構造に比べて電磁波の漏洩を少なくできる。
また、導電性接着テープ３７の代わりに、絶縁性の接着テープを用いてもよい。この場合も、導電性シールド材３３と窓枠材３９との間が静電容量性結合された状態となり、高周波成分に対しては同様にコンデンサ効果によって導電性シールド材３３とアース回路とが接続された接地回路が構成される。これにより、電磁波シールド効果が得られることになる。窓面材３５ａ、３５ｂが０．３ｍｍ程度の薄さであっても強度が確保できる構成であればこのような構成であってもよい。
なお、導電性接着テープ３７は、窓面材の縁部に断面Ｕ字形に貼着する以外にも、図４に示すように相対向する面にそれぞれ別個に設けてもよい。さらに、図５に示すように、導電性接着テープ３７の接着剤として導電性接着剤３８を使用し、導電性接着テープ３７と導電性シールド材３３の端部とを密着させることで、導電性シールド材３３と導電性接着テープ３７とが相互に接する構成としてもよい。この場合、導電性シールド材３３がアース回路に導通されると共にコンデンサ効果によっても高周波成分に対する導通が得られ、より確実にシールド効果を得ることができる。
次に、本発明に係る電磁波シールド窓の第２実施形態を説明する。
図６は本発明に係る電磁波シールド窓の第２実施形態を示す要部拡大断面図である。なお、以下の各実施形態において、図１に示した部材と同一の部材には、同一の符号を付し、重複する説明は省略するものとする。
この実施形態による電磁波シールド窓６１は、絶縁性を有し且つ可視光に対して透過性を有する一枚の窓面材３５と、この窓面材３５の一方の表面に貼着され、可視光に対して透過性を有するシート状の導電性シールド材３３と、この導電性シールド材３３の貼着された窓面材３５の周縁を全周に亘って所定の幅で包囲して断面Ｕ字状に貼着される導電性接着テープ３７と、少なくともこの導電性接着テープ３７と導電性シールド材３３との間に介在される絶縁層としての絶縁性接着剤３６と、導電性接着テープ３７の外方に密着して窓面材３５の周縁を保持する断面コ字状の窓枠材３９とからなる。
この電磁波シールド窓６１では、導電性シールド材３３の貼着された窓面材３５の周縁に絶縁層（絶縁性接着剤３６）を介して貼着された導電性シールド材３３が、導電性接着テープ３７とは導通されずに、窓面材３５を介して対面する導電性接着テープ３７ａに対向して配置される。このため、導電性シールド材３３と導電性接着テープ３７ａとの間にコンデンサ効果が生じ、電磁波シールド効果が得られるようになる。また、導電性シールド材３３は、絶縁層を介して対面する導電性接着テープ３７ｂにも対向して配置されるため、導電性シールド材３３と導電性接着テープ３７ｂとの間にもコンデンサ効果が生じることになる。
従って、この電磁波シールド窓６１によれば、一対の窓面材３５の間に導電性シールド材３３を挟持することなく、一枚の窓面材３５のみを用いた簡素な構造で電磁波シールド窓６１を構成することができる。
次に、本発明に係る電磁波シールド窓の第３実施形態を説明する。
図７は本発明に係る電磁波シールド窓の第３実施形態を示す要部拡大断面図である。
この実施形態による電磁波シールド窓７１は、第２実施形態における絶縁層６２として、導電性シールド材３３の全面に被着された絶縁性を有する保護シート７３を用いた構成としている。他の構成は、上述の電磁波シールド窓６１と同様である。
この電磁波シールド窓７１では、窓面材３５の一方の表面に貼着された導電性シールド材３３の前面に、さらに、絶縁性を有する保護シート７３が被着され、導電性シールド材３３と導電性接着テープ３７とが、この保護シート７３を介して対向して配置されている。従って、導電性シールド材３３の保護と、絶縁構造での導電性シールド材３３と導電性接着テープ３７との対向された配置が、同時に達成可能になる。
次に、本発明に係る電磁波シールド窓の第４実施形態を説明する。
図８は本発明に係る電磁波シールド窓の第４実施形態を示す要部拡大断面図である。
この実施形態による電磁波シールド窓８１は、可視光に対して透過性を有するシート状の導電性シールド材３３と、この導電性シールド材３３を表裏面から挟み、絶縁性を有し且つ可視光に対して透過性を有する一対の窓面材３５ａ、３５ｂと、この一対の窓面材３５ａ、３５ｂの端面及び少なくとも一方の周縁を全周に亘って所定の幅で包囲して貼着される断面Ｌ字状の導電性接着テープ３７と、この導電性接着テープ３７の外方に密着して一対の窓面材３５ａ、３５ｂの周縁を厚み方向で所定の間隙８３を有して保持する断面コ字状の窓枠材８５と、この窓枠材８５に螺合され、導電性接着テープ３７の貼着されていない窓面材３５ａの周縁に先端が当接される調節ネジ８７とからなる。なお、導電性接着テープ３７の接着面には絶縁性接着剤３６が塗布されている。
この電磁波シールド窓８１では、相互の間に導電性シールド材３３を挟持した一対の窓面材３５ａ、３５ｂと、この窓面材３５ａ、３５ｂの一方の面に貼着された導電性接着テープ３７との組立体が、断面コ字状の窓枠材８５の内方に収容される。そして、窓枠材８５に螺合された調節ネジ８７を締め付けると、導電性接着テープ３７の貼着されていない窓面材３５ａの周縁が、この調節ネジ８７の先端によって押圧される。
従って、導電性シールド材３３を挟持した一対の窓面材３５ａ、３５ｂと、導電性接着テープ３７とは、この調節ネジ８７と窓枠材８５とによって加圧され、密着性が高められることになる。また、調節ネジ８７を緩めることで窓枠材８５に対する組立体の保持が解除可能になり、組立体が容易に窓枠材８５から取り外しできる。
以上説明した電磁波シールド窓の各実施形態においては、導電性シールド材３３を窓面材３５に貼着した一例を示したが、本発明はこの構成に限らず、窓面材３５表面にシールド層を噴霧塗布したり、シールド層を印刷することで、導電性シールド層を形成したり、窓面材と導電性シールド層とを貼着することなく単に組み合わせた構成としてもよい。さらに、導電性シールド層自体を窓面材として構成してもよい。また、導電性シールド材３３は、窓面材３５の周縁の全周に亘って設ける以外にも、少なくとも周縁の一部に設けた構成としても、ある程度のシールド効果が得られるものである。
次に、本発明に係る電磁波シールド窓の用いられた製造装置の一例として電子部品装着装置を説明する。
図９は本発明に係る電磁波シールド窓の用いられた電子部品装着装置の外観斜視図、図１０は図９に示した前面カバーパネルの平面図、図１１は図１０の側面図、図１２は図１０のＡ−Ａ断面図である。
ＬＳＩやＩＣ等のパッケージ部品、コンデンサチップや抵抗チップ等のチップ部品等の電子部品を高速で回路基板上に装着する電子部品装着装置９１として、ロータリーヘッドを備えた部品装着装置が広く普及している。このロータリーヘッドを備えた電子部品装着装置９１は、ロータリーヘッドをインデックス回転させることで、ロータリーヘッド外周に設けられた複数の装着ヘッドにより、電子部品の保持された部品供給部９３から電子部品を取り出し、ＸＹテーブルによって位置決めされた回路基板上に順次装着する。
ロータリーヘッドの外周には周方向に複数個の装着ヘッドが等配され、各装着ヘッドは部品供給ユニットから電子部品を吸着し、吸着した電子部品をＸＹテーブル上の回路基板に装着し、再度部品供給ユニットから電子部品を吸着するまでのサイクルをロータリーヘッドの１回転で行うようになっている。
ロータリーヘッドの備えられた電子部品装着作業空間は、前面カバーパネル９５によって覆われている。前面カバーパネル９５には、ロータリーヘッドによる部品装着動作等の動作確認を行うための覗き窓が設けられ、この覗き窓には、上記各実施形態の電磁波シールド窓が取り付けられる。ここでは、一例として第１実施形態で述べた構成と同一構成の電磁波シールド窓１０１が設けられている。
即ち、電磁波シールド窓１０１は、可視光に対して透過性を有するシート状の導電性シールド層３３と、この導電性シールド層３３を表裏面から挟み、絶縁性を有し且つ可視光に対して透過性を有する一対の窓面材３５ａ、３５ｂと、この一対の窓面材３５ａ、３５ｂの周縁を所定の幅で包囲して断面Ｕ字状に貼着される導電性接着テープ３７と、この導電性接着テープ３７の外方に密着して一対の窓面材３５ａ、３５ｂの周縁を保持する断面コ字状の窓枠材３９とからなる。ここで、窓枠材３９は、不図示の装置フレーム等を介してアース回路に接続される。
この電子部品装着装置９１では、前面カバーパネル９５に上記の電磁波シールド窓１０１が備えられるので、直接電気的接続が必要とされる従来の電磁波シールド窓を用いる場合に比べて、導電性シールド層３３と導電性接着テープ３７とが非導通構造のままでよいので窓面材３５ａ、３５ｂ端部に導通手段を設けることがなくなり、組み付け作業が大幅に簡略化され、装着装置全体のコストが低減できると共に、電子波シールド窓の外観を簡素にでき美観を向上させることができる。
また、上記のロータリヘッドの動作確認用の覗き窓の他に、例えば部品供給部９３に設けられる覗き窓１０２に対しても本発明の電磁波シールド窓を好適に適用することができる。そして、電子部品装着装置９１はロータリヘッド式に限らず、他の方式による構成であってもよく、また、電磁波シールドを必要とする他の電子回路基板加工機、例えば、回路基板上にクリーム半田を印刷するクリーム半田印刷機、電子部品固定用の接着剤を塗布する接着剤塗布機、クリーム半田の印刷状態や電子部品の装着状態を検査する基板検査機等の、いかなる装置の覗き窓に対しても同様に本発明の電磁波シールド窓を好適に適用することができる。
なお、製造装置の際に説明した電磁波シールドの効果は、他のいかなる視認確認用の窓部を有するものに同様に効果があり、輸送機器、建築構造物であってもその効果は同様に奏される。ここでは、輸送機器、建築構造物に対する要部構成の説明は重複するため省略するが、適用例の図のみ用いて説明することにする。
まず、本発明に係る電磁波シールド窓の用いられた輸送機器として自動車が挙げられる。図１３に本発明に係る電磁波シールド窓を適用した自動車の一例を示した。なお、図１３（ａ）は自動車１１０の正面図で（ｂ）は側面図である。
自動車１１０のフロントウィンドウ１１１、リアウィンドウ１１３、及び各ドアに付帯されるサイドウィンドウ１１５に、それぞれ本発明に係る電磁波シールド窓を適用することで、自動車の窓枠構造を簡素にでき、美観を向上させることができると共に、その生産工程も簡略化され、軽量化やコストダウンが図られる。なお、図示した一般的な自家用自動車に限らず、例えば特殊用途の自動車に対しても同様な効果を得ることができる。
また、輸送機器の他の例として列車が挙げられる。図１４に本発明に係る電磁波シールド窓を適用した列車の一例を示した。列車１２０に備わる窓１２１に、それぞれ本発明に係る電磁波シールド窓を適用することで、上記同様の効果が得られる。
さらに、輸送機器の他の例として航空機が挙げられる。図１５に本発明に係る電磁波シールド窓を適用した航空機の一例を示した。航空機１３０の外装及び内装に備わる窓１３１にそれぞれ本発明に係る電磁波シールド窓を適用することで、例えば機内外からの電磁波により機器に誤動作を招くおそれを未然に防止できる。なお、図示はしないが、船舶や大気圏外への輸送手段の窓に対しても同様に適用することで、上記同様の効果が奏される。
次に、本発明に係る電磁波シールド窓が用いられた建築構造物として、ビルディング等の構造物が挙げられる。図１６に本発明に係る電磁波シールド窓を適用したビルディングの一例を、図１７にビルディングの壁面を拡大した一部拡大断面図を示した。ビルディング１４０の壁面１４１に設けられた窓１４３にそれぞれ本発明に係る電磁波シールド窓を適用することで、簡素な構成で美観にも優れた窓が得られ、また、ビルディング内で生じた電磁波をビルディングの近隣へ不要に放出することが防止され、電磁波環境に配慮した構造にできる。
＜産業上の利用可能性＞
以上詳細に説明したように、本発明に係る電磁波シールド方法は、絶縁性を有し且つ可視光に対して透過性を有する窓面材の表面に、可視光に対して透過性を有する導電性シールド層を設け、該導電性シールド層が設けられた窓面材を周縁部に絶縁層を介して導電性の窓枠内に密着させて固定することで、導電性シールド層と窓枠との間に静電容量性結合を生じさせている。これによるコンデンサ効果によって、非導通状態であっても高周波成分に対しては直接電気的接続した状態に近いシールド効果を得ることができる。その結果、接合部がないために経年劣化が生じず、安定したシールド効果を長期間に亘って保持することができる。
本発明に係る電磁波シールド窓は、絶縁性を有する窓面材の表面に導電性シールド層が設けられ、導電性シールド層に対して導電性接着テープが所定面積を有して相対向して配置されることでコンデンサ効果が生じ、非導通構造で導電性シールド層と導電性接着テープとが疑似的な接続状態となる。従って、従来構造のように、導電性接着剤等を塗布して、導電性シールド層と導電性接着テープとを導通させる煩雑な導通接続作業が省略でき、組み立て工数を削減して製造コストを低減することができる。
本発明に係る製造装置、輸送機器、建築構造物は、覗き窓の少なくとも一部に本発明の電磁波シールド窓を備えたので、製造コストが低減できると共に、導電性シールド層と導電性接着テープとは非導通構造のままでよいため、電磁波シールド窓の外観を簡素にでき、美観の向上を図ることができる
【図面の簡単な説明】
図１は、本発明に係る電磁波シールド窓の第１実施形態を示す要部拡大断面図である。
図２は、導電性シールド層にメッシュ材が用いられた場合のシールド特性を示すグラフである。
図３は、導電性シールド層にフィルム材が用いられた場合のシールド特性を示すグラフである。
図４は、導電性接着テープを相対向させて窓面材の両側表面に貼着した電磁波シールド窓の一構成例を示す図である。
図５は、導電性接着テープの接着剤を導電性接着剤として構成した電磁波シールド窓の一構成例を示す図である。
図６は、本発明に係る電磁波シールド窓の第２実施形態を示す要部拡大断面図である。
図７は、本発明に係る電磁波シールド窓の第３実施形態を示す要部拡大断面図である。
図８は、本発明に係る電磁波シールド窓の第４実施形態を示す要部拡大断面図である。
図９は、本発明に係る電磁波シールド窓の用いられた電子部品装着装置の外観斜視図である。
図１０は、図９に示した前面カバーパネルの平面図である。
図１１は、図１０の側面図である。
図１２は、図１０のＡ−Ａ断面図である。
図１３は、本発明に係る電磁波シールド窓を適用した自動車の一例を示す外観図である。
図１４は、本発明に係る電磁波シールド窓を適用した列車の一例を示す外観図である。
図１５は、本発明に係る電磁波シールド窓を適用した航空機の一例を示す外観図である。
図１６は、本発明に係る電磁波シールド窓を適用したビルディングの一例を示す外観図である。
図１７は、図１６に示したビルディングの壁面を拡大した一部拡大断面図である。
図１８は、従来の電磁波シールド性光透過窓材の断面図である。
図１９は、従来の他の電磁波シールド性光透過窓材の断面図である。
図２０は、従来の電磁波シールド窓の要部拡大断面図である。
なお、図中の符号、３１，６１，７１，８１，１０１は電磁波シールド窓、３３は導電性シールド層、３５（３５ａ，３５ｂ）は窓面材、３７は導電性接着テープ、３８は導電性接着剤、３９は窓枠材、７３は保護シート、９１は電子部品実装装置、９５は前面カバーパネル、１１０は自動車、１２０は列車、１３０は航空機、１４０はビルディングである。
【図１】
2003032702.tif 000003
【図２】
2003032702.tif 000004
【図３】
2003032702.tif 000005
【図４】
2003032702.tif 000006
【図５】
2003032702.tif 000007
【図６】
2003032702.tif 000008
【図７】
2003032702.tif 000009
【図８】
2003032702.tif 000010
【図９】
2003032702.tif 000011
【図１０】
2003032702.tif 000012
【図１１】
2003032702.tif 000013
【図１２】
2003032702.tif 000014
【図１３】
2003032702.tif 000015
【図１４】
2003032702.tif 000016
【図１５】
2003032702.tif 000017
【図１６】
2003032702.tif 000018
【図１７】
2003032702.tif 000019
【図１８】
2003032702.tif 000020
【図１９】
2003032702.tif 000021
【図２０】
2003032702.tif 000022
【手続補正書】
【提出日】平成14年12月2日(2002.12.2)
【手続補正１】
【補正対象書類名】特許請求の範囲
【補正対象項目名】全文
【補正方法】変更
【補正の内容】
【特許請求の範囲】
【請求項１】
削除
【請求項２】
絶縁性を有し且つ可視光に対して透過性を有する窓面材の表面に可視光に対して透過性を有する導電性シールド層を設け、該導電性シールド層の設けられた窓面材の周縁部に、クッション性を有する導電性テープを所定面積相対向させて、絶縁接着層を用いて貼着する一方、該導電性シールド層を有し導電性テープが貼着された窓面材を、絶縁層を介して、略コの字形状断面を有し、前記コの字形状が一体的且つほぼ均一な断面を有する導電性の窓枠材に密着させて固定し、前記導電性シールド層と前記導電性テープとの間、及び前記導電性テープと前記窓枠材との間に静電容量性結合を生じさせることを特徴とする電磁波シールド方法。
【請求項３】
（削除）
【請求項４】
絶縁性を有し且つ可視光に対して透過性を有する窓面材と、
該窓面材の表面に貼着され、可視光に対して透過性を有する導電性シールド層と、
該導電性シールド層の設けられた窓面材を、該窓面材の周縁部に絶縁層を介して密着させて固定する導電性の窓枠材とを備え、前記窓枠材は略コの字形状断面を有し、前記コの字形状が一体的且つほぼ均一な断面を有し、前記絶縁層の中に、前記導電性シールド層の設けられた前記窓面材の周縁部で、該周縁部に所定面積を有して相対向して貼着されたクッション性を有する導電性テープを、絶縁接着剤を用いて介装したことを特徴とする電磁波シールド窓。
【請求項５】
前記絶縁層は、前記窓面材と前記窓枠材表面に形成される絶縁性表層との少なくともいずれかを含むことを特徴とする請求の範囲第４項記載の電磁波シールド窓。
【請求項６】
削除
【請求項７】
前記導電性テープが、断面Ｕ字形に貼着されていることを特徴とする請求の範囲第４項記載の電磁波シールド窓。
【請求項８】
前記導電性シールド層は、一対の前記窓面材の間に狭持されていることを特徴とする請求の範囲第４項記載の電磁波シールド窓。
【請求項９】
前記導電性シールド層は、前記窓面材の片側の表面だけに設けられていることを特徴とする請求の範囲第４項記載の電磁波シールド窓。
【請求項１０】
前記窓面材の前記導電性シールド層が設けられた側の外側面に、該導電性シールド層の保護シートを貼着したことを特徴とする請求の範囲第９項記載の電磁波シールド窓。
【請求項１１】
前記導電性シールド層が、導電性繊維又は導電性材料が表面に被覆された繊維からなる網状のシート材であることを特徴とする請求の範囲第４項記載の電磁波シールド窓。
【請求項１２】
前記導電性シールド層が、導電薄膜層を有するフィルム状のシート材であることを特徴とする請求の範囲第４項記載の電磁波シールド窓。
【請求項１３】
（削除）
【請求項１４】
製造装置であって、製造装置の内部を視認可能な電磁波シールドされた覗き窓を有し、該覗き窓の少なくとも一部が、請求の範囲第４，５，７，８，９，１０，１１，又は１２項記載の電磁波シールド窓であることを特徴とする電磁波シールド窓を備えた製造装置。
【請求項１５】
輸送機器であって、輸送機器の外部を視認可能な電磁波シールドされた覗き窓を有し、該覗き窓の少なくとも一部が、請求の範囲第４，５，７，８，９，１０，１１，又は１２項記載の電磁波シールド窓であることを特徴とする電磁波シールド窓を備えた輸送機器。
【請求項１６】
建築構造物であって、建築構造物の外部を視認可能な電磁波シールドされた覗き窓を有し、該覗き窓の少なくとも一部が、請求の範囲第４，５，７，８，９，１０，１１，又は１２項記載記載の電磁波シールド窓であることを特徴とする電磁波シールド窓を備えた建築構造物。
２３
【手続補正２】
【補正対象書類名】明細書
【補正対象項目名】０００４
【補正方法】変更
【補正の内容】
【０００４】
に対して導通接続に近い電磁波シールド効果が得られる。
（２）  本発明の電磁波シールド方法は、絶縁性を有し且つ可視光に対して透過性を有する窓面材の表面に可視光に対して透過性を有する導電性シールド層を設け、該導電性シールド層が設けられた窓面材の周縁部にクッション性を有する導電性テープを所定面積相対向させて、絶縁接着層を用いて貼着する一方、該導電性シールド層を有し導電性テープが貼着された窓面材を、絶縁層を介して、略コの字形状断面を有し、前記コの字形状が一体的且つ略均一な断面を有する導電性の窓枠材に密着させて固定し、前記導電性シールド層と前記導電性テープとの間、及び前記導電性テープと前記窓枠材との間に静電容量性結合を生じさせることを特徴とする。
この電磁波シールド方法では、絶縁性を有する窓面材の表面に、導電性シールド層を設け、導電性シールド層の設けられた窓面材の周縁部にクッション性を有する導電性テープを所定の面積を有して相対向させて、絶縁接着層を用いて貼着することで、導電性シールド層と導電性テープとの間で静電容量性結合が得られる。また、導電性シールド層を有し導電性テープが貼着された窓面材を、絶縁層を介して導電性の窓枠材に密着させて固定することで、導電性テープと窓枠材との間で同様に静電容量性結合が得られる。このため、導電性テープと窓枠材との間のコンデンサ効果によって、高周波成分に対して導通接続に近い電磁波シールド効果が得られる。また、導電性接着テープを貼着するといった簡単な組み付け作業により電磁波シールド窓を組立てることができると共に、経年劣化が生じず、安定したシールド効果が長期間に亘って保持可能になる。
（４）  本発明の電磁波シールド窓は、絶縁性を有し且つ可視光に対して透過性を有する窓面材と該窓面材の表面に貼着され、可視光に対して透過性を有する導電性シールド層と、該導電性シールド層の設けられた窓面材を、該窓面材の周縁部に絶縁層を介して密着させて固定する導電性の窓枠材とを備え、前記窓枠材は略コの字形状断面を有し、前記コの字形状が一体的且つほぼ均一な断面を有し、前記絶縁層の中に、前記導電性シールド層の設けられた前記窓面材の周縁部で、該周縁部に所定面積を有して相対向して貼着されたクッション性を有する導電性テープを、絶縁接着剤を用いて介装したことを特
４／１


【手続補正３】
【補正対象書類名】明細書
【補正対象項目名】０００５
【補正方法】変更
【補正の内容】
【０００５】
徴とする。
この電磁波シールド窓では、絶縁性を有する窓面材の表面に、導電性シールド層を設けて、この窓面材を、表面の導電性シールド層に対して絶縁層を介して窓枠材に密着させ固定することで、導電性シールド層と窓枠材との間に静電容量性結合が得られる。これにより、導電性シールド層と窓枠材とが直接電気的接続されずに、導電性シールド層と窓枠材との間のコンデンサ効果によって、高周波成分に対して導通接続に近い電磁波シールド効果が得られる。このように、導電性シールド層と窓枠材とは直接電気的接合されていないので、簡単な組み付け作業により電磁波シールド窓を組立てることができると共に、経年劣化が生じず、安定したシールド効果が長期間に亘って保持可能になる。また、この電磁波シールド窓では、導電性シールド層の設けられた窓面材の周縁部で、周縁部に所定面積を有して導電性粘着テープを相対向させて貼着する簡単な貼着作業により、導電性シールド層と導電性接着テープとの間の窓面材の誘電体効果によってコンデンサ効果を生じさせることができる。
（５）  本発明の電磁波シールド窓は、前記絶縁層が、前記窓面材と前記窓枠材表面に形成される絶縁性表層との少なくともいずれかを含むことを特徴とする。
この電磁波シールド窓では、導電性シールド材を、窓面材と窓枠材に形成された絶縁性表層との少なくともいずれかを介して窓枠材に固定することにより、導電性シールド材が窓枠材とは非導通状態で固定されると共に、窓面材、絶縁性表層の誘電体効果によりコンデンサ効果を生じさせることができる。
（７）  本発明の電磁波シールド窓は、前記導電性テープが、断面Ｕ字形に貼着されていることを特徴とする。
この電磁波シールド窓では、断面Ｕ字形に貼着された導電性テープの相対向して配置される面が導電性シールド層と共に電極となり、その間でコンデンサ効果が生じることになる。また、窓面材の縁部が導電性テープで覆われるた
５


【手続補正４】
【補正対象書類名】明細書
【補正対象項目名】０００６
【補正方法】変更
【補正の内容】
【０００６】
め、窓面材の縁部が保護されると共に、窓枠材に対して確実に密着させることが可能となる。
（８）  本発明の電磁波シールド窓は、前記導電性シールド層が、一対の前記窓面材の間に狭持されていることを特徴とする。
この電磁波シールド窓では、導電性シールド層が表裏面から窓面材によって狭持されるため、外部に露出しなくなり保護される。また、導電性シールド層の表裏面それぞれが窓面材を介して導電性テープに対向配置されることになり、それぞれの導電性シールド層と導電性テープとの間にコンデンサ効果が生じることになる。
（９）  本発明の電磁波シールド窓は、前記導電性シールド層が、前記窓面材の片側の表面だけに貼着されていることを特徴とする。
この電磁波シールド窓では、一枚の窓面材だけを用いた簡素な構造で、電磁波シールド窓が構成可能になる。
（１０）  本発明の電磁波シールド窓は、前記窓面材の前記導電性シールド層が設けられた側の外側面に、該導電性シールド材の保護シートを貼着したことを特徴とする。
この電磁波シールド窓では、導電性シールド材の外側に保護シートが設けられるため、導電性シールド層の保護と、絶縁構造としての導電性シールド層と導電性テープとの相対向する配置が同時に達成できる。
（１１）  本発明の電磁波シールド窓は、前記導電性シールド層が、導電性繊維又は導電性材料が表面に被覆された繊維からなる網状のシート材であることを特徴とする。
この電磁波シールド窓では、網状のシート材を構成する一本一本の繊維が導通性を有して構成されるため、繊維間の隙間により可視光に対して透過性を有しながら良好な導電性が得られることになる。
（１２）  本発明の電磁波シールド窓は、前記導電性シールド層が、導電薄膜層を有するフィルム状のシート材であることを特徴とする。
この電磁波シールド窓では、フィルム状のシート材の表面に導電薄膜がスパ
６


【手続補正５】
【補正対象書類名】明細書
【補正対象項目名】０００７
【補正方法】変更
【補正の内容】
【０００７】
ッタリング等により形成され、可視光に対して透過性を有しながら導電性が得られる。また、フィルム状であることから、単一面での形成が可能になり、開口を有する網構造に比べて電磁波の漏洩を少なくできる。
（１４）  本発明の電磁波シールド窓を備えた製造装置は、製造装置であって、製造装置の内部を視認可能な電磁波シールドされた覗き窓を有し、該覗き窓の少なくとも一部が、前項前項（４）、（５）、（７）、（８）、（９）、（１０）、（１１）、又は（１２）記載の電磁波シールド窓であることを特徴とする。
この電磁波シールド窓を備えた製造装置では、覗き窓の少なくとも一部が前項（４）、（５）、（７）、（８）、（９）、（１０）、（１１）、又は（１２）記載の電磁波シールド窓であるので、導電性シールド層と窓枠材とを非導通構造にでき、シールド窓の組立て工程が大幅に簡略化され、装置全体のコストを低減できる。しかも、装置に十分なシールド効果が得られると共に、シールド窓を簡素にできるため美観の向上を図ることができる。また、導電性シールド層と窓枠材が接することで双方が導通する場合には、より確実なシールド効果を得ることができる。
（１５）  本発明の電磁波シールド窓を備えた輸送機器は、輸送機器であって、輸送機器の外部を視認可能な電磁波シールドされた覗き窓を有し、該覗き窓の少なくとも一部が、前項（４）、（５）、（７）、（８）、（９）、（１０）、（１１）、又は（１２）記載の電磁波シールド窓であることを特徴とする。
この電磁波シールド窓を備えた輸送機器では、覗き窓の少なくとも一部が前項（４）、（５）、（７）、（８）、（９）、（１０）、（１１）、又は（１２）記載の電磁波シールド窓であるので、導電性シールド層と窓枠材とを非導通構造にでき、シールド窓の組立て工程が大幅に簡略化され、装置全体のコストを低滅できる。しかも装置に十分なシールド効果が得られると共に、シールド窓を簡素にできる
７


【手続補正６】
【補正対象書類名】明細書
【補正対象項目名】０００８
【補正方法】変更
【補正の内容】
【０００８】
導電性シールド層と窓枠材が接することで双方が導通する場合には、より確実なシールド効果を得ることができる。
（１６）  本発明の電磁波シールド窓を備えた建物構造物は、例えばビルディングや戸建て住宅等の建築構造物であって、建築構造物の内部から外部を視認可能な電磁波シールドされた覗き窓を有し、該覗き窓の少なくとも一部が、前項（４）、（５）、（７）、（８）、（９）、（１０）、（１１）、又は（１２）記載の電磁波シールド窓であることを特徴とする。
この電磁波シールド窓を備えた建物構造物では、覗き窓の少なくとも一部が前項（４）、（５）、（７）、（８）、（９）、（１０）、（１１）、又は（１２）記載の電磁波シールド窓であるので、導電性シールド層と窓枠材とを非導通構造にでき、シールド窓の組立て工程が大幅に簡略化され、建築コストを低滅できる。しかも建築構造物に十分なシールド効果が得られると共に、シールド窓を簡素にできるため美観の向上を図ることができる。また、導電性シールド層と窓枠材が接することで双方が導通する場合には、より確実なシールド効果を得ることができる。
＜図面の簡単な説明＞
図１は、本発明に係る電磁波シールド窓の第１実施形態を示す要部拡大断面図である。
図２は、導電性シールド層にメッシュ材が用いられた場合のシールド特性を示すグラフである。
図３は、導電性シールド層にフィルム材が用いられた場合のシールド特性を示すグラフである。
図４は、導電性接着テープを相対向させて窓面材の両側表面に貼着した電磁波シールド窓の一構成例を示す図である。
図５は、導電性接着テープの接着剤を導電性接着剤として構成した電磁波シールド窓の一構成例を示す図である。
図６は、本発明に係る電磁波シールド窓の第２実施形態を示す要部拡大断面図である。
図７は、本発明に係る電磁波シールド窓の第３実施形態を示す要部拡大断面図
８／１




【国際調査報告】
2003032702.tif 000023
2003032702.tif 000024
2003032702.tif 000025